(57)【要約】【課題】音声通話に起因してユーザに出力できなかったコンテンツの部分を、移動体に好適な手法で記録・再生可能な通信端末装置を提供する。【解決手段】音声通話中に予約情報により特定されたコンテンツの放送開始時刻がやって来ると、予約情報により特定されたチャンネルで放送されるトランスポートストリームの蓄積を開始し、音声通話の終了後に蓄積したトランスポートストリームを再生する。【選択図】図１９
2008206189.tif 000002
【特許請求の範囲】
【請求項１】
通信端末装置であって、
放送局から送信されるコンテンツを含んだトランスポートストリームを受信するチューナと、
音声通話のために、少なくとも通話相手の音声を無線によって受信及び再生可能な通話処理部と、
前記通話処理部の通話の状態変化を検出する状態検出部と、
前記放送されたトランスポートストリームを蓄積するコンテンツ蓄積部と、
前記放送局から受信するトランスポートストリームと前記コンテンツ蓄積部に蓄積したトランスポートストリームとを切替えるＴＳ切替え部と、
前記放送局から受信するトランスポートストリーム又は前記コンテンツ蓄積部に蓄積したトランスポートストリームを再生する再生部と、
ユーザが視聴を希望するコンテンツのチャンネルと放送開始時刻とを特定する予約情報が、ユーザから入力される第１の入力装置と、
前記予約情報を蓄積する予約蓄積部とを備え、
前記音声通話中に前記予約情報により特定されたコンテンツの放送開始時刻になると、前記コンテンツ蓄積部は、前記予約情報により特定されたチャンネルで放送される前記トランスポートストリームの蓄積を開始する、通信端末装置。
【請求項２】
前記通信端末装置は、
開始指示が入力される第２の入力装置をさらに備え、
前記状態検出部が呼切断を検出すると、
前記コンテンツ蓄積部は、前記放送されたトランスポートストリームの蓄積を
完了し、
前記再生部は、前記放送局から受信するトランスポートストリームを再生し、
前記再生部は、前記呼切断の検出後に入力される前記開始指示に従って、前記コンテンツ蓄積部に蓄積されたコンテンツの再生を開始する、請求項１に記載の通信端末装置。
【請求項３】
前記通信端末装置は、
前記状態検出部が呼切断を検出すると、前記再生部は、前記コンテンツ蓄積部に蓄積したトランスポートストリームを順次再生し、
前記コンテンツ蓄積部に蓄積された全てのトランスポートストリームの再生を終了すると、
前記コンテンツ蓄積部は、前記放送されたトランスポートストリームの蓄積を完了し、
前記ＴＳ切替え部は、前記コンテンツ蓄積部に蓄積したトランスポートストリームの再生から前記放送局から受信するトランスポートストリームの再生に切替える、請求項１に記載の通信端末装置。
【請求項４】
音声通話に関連する画像情報を作成可能な画像作成部と、
前記状態検出部により音声通話の開始が検出された場合に、前記チューナにより受信されるコンテンツと、前記画像作成部により作成された画像情報とを合成して、合成画像情報を作成可能な画像合成部とを備え、
前記画像合成部は、通話相手側の画像情報が合成された合成画像情報を作成可能である、請求項３に記載の通信端末装置。
【請求項５】
前記通話処理部はさらに、本人側の画像情報を取り込み可能であり、
前記画像合成部は、前記通話処理部が取り込んだ本人側の画像情報がさらに合成された合成画像情報に合成可能である、請求項４に記載の通信端末装置。
【請求項６】
前記再生部は、受信コンテンツを構成する音響を少なくとも再生可能であり、
前記通信端末装置はさらに、
音声通話の無音時間を検出可能である無音検出部と、
前記無音検出部が検出した無音時間帯には、前記再生部で再生された音響を出力可能にする音声切替え部とをさらに備え、
前記音声切替え部はさらに、前記無音検出部が無音時間帯を検出しない場合には、前記通話処理部で再生された音声信号を出力可能にする、請求項３に記載の通信端末装置。
【請求項７】
通信端末装置に用いられる方法であって、
放送局から送信されるコンテンツを含んだトランスポートストリームを受信する受信ステップと、
音声通話のために、少なくとも通話相手の音声を無線によって受信及び再生可能な通話処理ステップと、
前記通話処理ステップでの通話の状態変化を検出する状態検出ステップと、
前記放送されたトランスポートストリームを蓄積する蓄積ステップと、
前記放送局から受信するトランスポートストリームと前記蓄積ステップで蓄積したトランスポートストリームとを切替えるＴＳ切替えステップと、
前記放送局から受信するトランスポートストリーム又は前記蓄積ステップで蓄積したトランスポートストリームを再生する再生ステップと、
ユーザが視聴を希望するコンテンツのチャンネルと放送開始時刻とを特定する予約情報が、ユーザから入力される入力ステップと、
前記予約情報を蓄積する予約蓄積ステップとを備え、
前記音声通話中に前記予約情報により特定されたコンテンツの放送開始時刻になると、前記蓄積ステップでは、前記予約情報により特定されたチャンネルで放送される前記トランスポートストリームの蓄積を開始する、方法。
【発明の詳細な説明】
【技術分野】
【０００１】
本発明は、通信端末装置であって、より特定的には、コンテンツ受信機能および音声通話機能を有する通信端末装置に関する。
【背景技術】
【０００２】
２００３年より日本国内３大都市圏で、さらに、２００６年より日本全国で、地上波デジタル放送の開始が予定されている。この地上波デジタル放送の特徴として、コンテンツを移動受信可能なことが挙げられている。一方、移動体通信では、２００１年より第３世代携帯電話サービスが始まっており、動画配信や携帯テレビ電話が可能となった。以上のような状況において、近年、コンテンツの受信機能および音声通話機能の両方を備えた通信端末装置の構想が発表されている。このような通信端末装置を使ってコンテンツを視聴している時に、音声通話の着呼があると、ユーザは、コンテンツの視聴より音声通話を優先する傾向がある。逆の場合、つまり、移動体通信端末装置を使って音声通話している時に、視聴したいコンテンツが始まった場合にも、ユーザは音声通話を優先する傾向がある。
【０００３】
このようなユーザの傾向に対処するため、技術分野は異なるが、例えば、特開２００１−３３３３３４号公報に開示されたテレビ受信機（以下、従来のテレビ受信機と称する）がある。従来のテレビ受信機は、視聴者により選択されたチャネルを通じて、外部から放送されてくる映像信号を受信し、受信映像信号を再生し、映像として出力する。従来のテレビ受信機に内蔵されているモデムは、映像信号受信中に、固定電話の着呼を検出した場合、そのことを示すステータス信号を出力する。従来のテレビ受信機は、ステータス信号に応答して、現在受信中の映像信号を、内蔵の記憶装置に記録する（つまり、録画を行う。）。従来のテレビ受信機は、通話終了後に、記憶装置に記録された映像信号を再生し、これによって、視聴者は、着呼により見損ねたテレビ番組を視聴することが可能になる。
【特許文献１】特開２００１−３３３３３４号公報
【発明の開示】
【発明が解決しようとする課題】
【０００４】
しかしながら、従来の通信端末装置によれば、ユーザは、少なくとも音声通話が終了するまでの間、コンテンツを視聴できなくなるという問題点がある。また、上記公報に開示された技術は、長時間のコンテンツを蓄積できる大容量の記憶装置をテレビ受信機に内蔵可能であることが求められる。しかしながら、上述の通信端末装置は、移動体という特質から、小容量の記憶装置しか内蔵できないので、長時間のコンテンツを内部に蓄積することができない。そのため、上記公報に開示された技術をそのまま、移動体通信端末装置に実装することは難しいという問題点がある。
【０００５】
それ故に、本発明の目的は、コンテンツにおいて、音声通話に起因してユーザに出力できなかった部分を、本来の編成時間帯とは別のタイミングで出力可能な通信端末装置を提供することである。
また、本発明の他の目的は、コンテンツにおいて、音声通話に起因してユーザに出力できなかった部分を、移動体に好適な手法で記録・再生可能な通信端末装置を提供することである。
【課題を解決するための手段】
【０００６】
本発明は、通信端末装置に向けられている。そして、上記目的を達成させるために、本発明の通信端末装置は、放送局から送信されるコンテンツを含んだトランスポートストリームを受信するチューナと、音声通話のために、少なくとも通話相手の音声を無線によって受信及び再生可能な通話処理部と、通話処理部の通話の状態変化を検出する状態検出部と、放送されたトランスポートストリームを蓄積するコンテンツ蓄積部と、放送局から受信するトランスポートストリームとコンテンツ蓄積部に蓄積したトランスポートストリームとを切替えるＴＳ切替え部と、放送局から受信するトランスポートストリーム又はコンテンツ蓄積部に蓄積したトランスポートストリームを再生する再生部と、ユーザが視聴を希望するコンテンツのチャンネルと放送開始時刻とを特定する予約情報が、ユーザから入力される第１の入力装置と、予約情報を蓄積する予約蓄積部とを備え、音声通話中に予約情報により特定されたコンテンツの放送開始時刻になると、コンテンツ蓄積部は、予約情報により特定されたチャンネルで放送されるトランスポートストリームの蓄積を開始する。
【０００７】
また、通信端末装置は、開始指示が入力される第２の入力装置をさらに備え、状態検出部が呼切断を検出すると、コンテンツ蓄積部は、放送されたトランスポートストリームの蓄積を完了し、再生部は、放送局から受信するトランスポートストリームを再生し、再生部は、呼切断の検出後に入力される開始指示に従って、コンテンツ蓄積部に蓄積されたコンテンツの再生を開始してもよい。
【０００８】
また、通信端末装置は、状態検出部が呼切断を検出すると、再生部は、コンテンツ蓄積部に蓄積したトランスポートストリームを順次再生し、コンテンツ蓄積部に蓄積された全てのトランスポートストリームの再生を終了すると、コンテンツ蓄積部は、放送されたトランスポートストリームの蓄積を完了し、ＴＳ切替え部は、コンテンツ蓄積部に蓄積したトランスポートストリームの再生から放送局から受信するトランスポートストリームの再生に切替えてもよい。
【０００９】
また、音声通話に関連する画像情報を作成可能な画像作成部と、状態検出部により音声通話の開始が検出された場合に、チューナにより受信されるコンテンツと、画像作成部により作成された画像情報とを合成して、合成画像情報を作成可能な画像合成部とを備え、画像合成部は、通話相手側の画像情報が合成された合成画像情報を作成可能であってもよい。
【００１０】
また、通話処理部はさらに、本人側の画像情報を取り込み可能であり、画像合成部は、通話処理部が取り込んだ本人側の画像情報がさらに合成された合成画像情報に合成可能であってもよい。
【００１１】
また、再生部は、受信コンテンツを構成する音響を少なくとも再生可能であり、通信端末装置はさらに、音声通話の無音時間を検出可能である無音検出部と、無音検出部が検出した無音時間帯には、再生部で再生された音響を出力可能にする音声切替え部とをさらに備え、音声切替え部はさらに、無音検出部が無音時間帯を検出しない場合には、通話処理部で再生された音声信号を出力可能にしてもよい。
【発明の効果】
【００１２】
以上のように、本発明の通信端末装置によれば、ユーザが音声通話している間にユーザが視聴を希望するコンテンツの放送開始時刻が来ると、受信したコンテンツを蓄積部に格納し、音声通話が終わった後に、格納したものを読み出して再生する。ここで、再生部は典型的には、遠隔の放送局から、映像および音響で構成される番組を、コンテンツとして受信する。これによって、コンテンツにおいて、音声通話に起因してユーザが見損なったり、聞き損なったりした部分を、通信端末装置はユーザに提供することが可能となる。
また、本発明の通信端末装置によれば、音声通話中にユーザが視聴を希望するコンテンツの放送開始時刻が来た場合にコンテンツを蓄積するので、小容量の記憶装置を内蔵することで上記効果を実現することができる。
【発明を実施するための最良の形態】
【００１３】
図１は、本発明の一実施形態に係る移動体通信端末装置（以下、単に、端末装置と称する）Ｅ1 の全体構成を示すブロック図である。図１において、端末装置Ｅ1 は、コンテンツ再生部１と、通話処理部２と、画像切替え部３と、表示装置４と、音声切替え部５と、スピーカ部６と、状態検出部７と、制御部８と、コンテンツ蓄積部９と、入力装置１０とを備えている。
【００１４】
コンテンツ再生部１は、地上波デジタルテレビ放送の放送局１０１から放送されてくる、いくつかのチャネル分のトランスポートストリームＳＴT を受信し、受信トランスポートストリームＳＴT からコンテンツを再生する。本実施形態において、コンテンツとは、例示的に、放送事業者により定められた編成時間に従って、予定された時間帯に放送されるテレビ番組である。以上のテレビ番組は、映像信号ＳＬV で表現される映像およびオーディオ信号ＳＬA で表現される音響で構成される。また、これら映像信号ＳＬV およびオーディオ信号ＳＬA は、ＭＰＥＧ(Moving Picture Experts Group)に従って放送局１０１で符号化され、その結果得られる符号化映像信号ＣＳＬV および符号化オーディオ信号ＣＳＬA が多重化されることで、トランスポートストリームＳＴT は作成される。また、コンテンツ再生部１は、コンテンツの受信・再生中に音声通話が始まった場合のことを想定して、コンテンツ蓄積部９（後述）から読み出されたトランスポートストリームＳＴT から映像信号ＳＬV およびオーディオ信号ＳＬA を再生可能に構成される。以上のようなコンテンツの受信・再生を実現するために、コンテンツ再生部１は、アンテナ１１と、チューナ１２と、ＴＳ切替え部１３と、分離部１４と、ビデオ再生部１５と、オーディオ再生部１６とを含んでいる。
【００１５】
アンテナ１１は、複数の放送局１０１（図１には１台のみ図示）の送信トランスポートストリームＳＴT を受信して、受信したものをチューナ１２に出力する。チューナ１２は、アンテナ１１が受信可能なチャネルの内、ユーザにより指定されたチャネルを通じて送信されてくるトランスポートストリームＳＴT を選択して、選択したものをＴＳ切替え部１３および制御部８の双方に出力する。ＴＳ切替え部１３は、チューナ１２の出力トランスポートストリームＳＴT を分離部１４に出力する。さらに、ＴＳ切替え部１３は、制御部８によりコンテンツ蓄積部９から読み出されたトランスポートストリームＳＴT を受信し、受信したものを分離部１４に出力する。ＴＳ切替え部１３は、このような入力系統の切り替えを、制御部８の制御信号ＣＳc に従って行う。分離部１４は、ＴＳ切替え部１３の出力トランスポートストリームＳＴT を、符号化映像信号ＣＳＬV および符号化オーディオ信号ＣＳＬA に分離して、分離した符号化映像信号ＣＳＬV をビデオ再生部１５に出力し、分離した符号化オーディオ信号ＣＳＬA をオーディオ再生部１６に出力する。ビデオ再生部１５は、分離部１４からの符号化映像信号ＣＳＬV を受信し、受信したものをＭＰＥＧに従って復号し、コンテンツを構成する映像を表す映像信号ＳＬV を再生する。再生された映像信号ＳＬV は、画像切替え部３に出力される。オーディオ再生部１６は、分離部１４からの符号化オーディオ信号ＣＳＬA をＭＰＥＧに従って復号し、上記映像に同期しかつコンテンツを構成するオーディオを表すオーディオ信号ＳＬA を再生する。再生されたオーディオ信号ＳＬA は、音声切替え部５に出力される。
【００１６】
また、通話処理部２は、移動体通信システムに収容される各基地局１０２と通信を行って、多重化信号ＳＬS を送受信する。多重化信号ＳＬS は、移動体通信システムで採用されている多重化方式および音声符号化方式に従って多重化および符号化されており、少なくとも、本端末装置Ｅ1 のユーザと通話を行う相手が話した内容を表す符号化音声信号ＣＳＬS1と、ユーザが話した内容を表す符号化音声信号ＣＳＬS2とを含んでいる。以上の音声通信のために、通話処理部２は、典型的には、アンテナ２１と、無線通信部２２と、音声再生部２３と、音声入力部２４と、音声符号化部２５とを含んでいる。
【００１７】
アンテナ２１は、基地局１０２から送出された多重化信号ＳＬS を受信する。無線通信部２２は、分離器として機能する場合、多重化信号ＳＬS から符号化音声信号ＣＳＬS1を分離して、分離したものを音声再生部２３に出力する。音声再生部２３は、無線通信部２２からの符号化音声信号ＣＳＬS1を、上述の音声符号化方式に従って復号し、その結果得られる音声信号ＳＬS1を音声切替え部５に出力する。また、音声入力部２４は、ユーザが話した内容を表す音声信号ＳＬS2を生成して、生成したものを音声符号化部２５に出力する。音声符号化部２５は、音声入力部２４からの音声信号ＳＬS2を、上述の音声符号化方式に従って符号化して、その結果得られる符号化音声信号ＣＳＬS2を無線通信部２２に出力する。無線通信部２２は、多重化器として機能する場合には、音声符号化部２５からの符号化音声信号ＣＳＬS2を多重化して、多重化信号ＳＬS を作成し、作成したものをアンテナ２１に出力する。アンテナ２１はさらに、無線通信部２２の出力多重化信号ＳＬS を、基地局１０２に送信する。
【００１８】
画像切替え部３は、ビデオ再生部１５からの映像信号ＳＬV を表示装置４に出力する。画像切替え部３にはさらに、画像信号ＳＬI も入力される。画像信号ＳＬI は、音声通話時に使用され、典型的には、現在時刻、電波の受信状態、電池の残量を表す。以上の画像信号ＳＬI は、制御部８により作成される。ここで、画像切替え部３は、制御部８からの制御信号ＣＳa およびＣＳb に従って、入力映像信号ＳＬV を出力するか、入力画像信号ＳＬI を出力するかを切り替える。表示装置４は、画像切替え部３からの映像信号ＳＬV または画像信号ＳＬI に従って、映像または画像を表示する。
【００１９】
また、音声切替え部５は、オーディオ再生部１６からのオーディオ信号ＳＬA をスピーカ部６に出力する。さらに、音声切替え部５は、音声再生部２３からの音声信号ＳＬS1をスピーカ部６に出力する。ここで、音声切替え部５は、制御部８からの制御信号ＣＳa およびＣＳb に従って、入力オーディオ信号ＳＬA を出力するか、入力音声信号ＳＬS1を出力するかを切り替える。スピーカ部６は、音声切替え部５からのオーディオ信号ＳＬA または音声信号ＳＬS1に従って、上記映像に同期した音声、または通話相手が話した内容を出力する。
【００２０】
また、移動体通信システムでは、上述の多重化信号ＳＬS 以外に、各種の制御信号ＣＳM が、端末装置Ｅ1 と基地局１０２の間で交換されている。制御信号ＣＳM の例としては、着呼を示すものや、呼切断（つまり音声通話の終了）を示すものがある。無線通信部２２は、アンテナ２１を通じて、以上の制御信号ＣＳM をさらに送受信する。さらに、無線通信部２２は、送信すべき制御信号ＣＳM および受信した制御信号ＣＳM を状態検出部７に出力する。状態検出部７は、無線通信部２２からの制御信号ＣＳM を解釈し、音声通話の状態変化、つまり着呼または呼切断を示す信号（以下、状態通知と称する）ＣＳSTを制御部８に出力する。
【００２１】
制御部８は、上述の各構成を制御するために、プログラムメモリ８１と、プロセッサ８２と、作業領域８３とを含む。プログラムメモリ８１は、ＯＳ(Operating System)、コンテンツの受信・再生用のコンピュータプログラム、および通話処理用のコンピュータプログラムを含むが、本実施形態では便宜上、これらをまとめて、プログラムＣＰ1 と称する。プロセッサ８２は、以上のプログラムＣＰ1 を実行する。作業領域８３は、プロセッサ８２がプログラムＣＰ1 を実行する最中に、プロセッサ８２により使用される。
【００２２】
コンテンツ蓄積部９は、制御部８の制御下で、チューナ１２から転送されてくるトランスポートストリームＳＴT を蓄積する。入力装置１０は、ユーザの操作に応答して、コンテンツ蓄積部９に蓄積されているトランスポートストリームＳＴT の読み出しを指示するための信号（以下、開始指示と称する）ＳＬP を、制御部８に出力する。
【００２３】
次に、図２を参照して、以上の端末装置Ｅ1 において特徴的な動作を概説する。図２において、端末装置Ｅ1 がトランスポートストリームＳＴT （つまりコンテンツ）の受信・再生中に着呼があった時を時刻ｔ0 とすると、時刻ｔ0 から音声通話が終了するまでユーザはコンテンツを視聴できなくなる。そこで、端末装置Ｅ1 は、ユーザがコンテンツを視聴できない間、受信トランスポートストリームＳＴT をコンテンツ蓄積部９に格納する。その後、音声通話が終了し、呼切断した時を時刻ｔ1 とすると、端末装置Ｅ1 では、時刻ｔ1 以降に、受信トランスポートストリームＳＴT の再生が再開され、やがて終了する。今、受信トランスポートストリームＳＴT の再生終了時を時刻ｔ2 とする。この時刻ｔ2 以降に前述の開始指示ＳＬP が生成される。端末装置Ｅ1 は、開始指示ＳＬP に応答して、コンテンツ蓄積部９に格納されているトランスポートストリームＳＴT を読み出し再生する。これによって、ユーザは、コンテンツにおいて音声通話の間に見逃した部分を視聴することが可能となる。
【００２４】
次に、図３のフローチャートを参照して、図２を参照して概説した端末装置Ｅ1 の動作を詳説する。図３において、プロセッサ８２は、プログラムＣＰ1 に含まれるコンテンツの受信・再生用プログラムを実行する。この実行時、ユーザは、好みのコンテンツ（以下、対象コンテンツと称する）を視聴するためにチャネルを指定すると、プロセッサ８２によって、チューナ１２が受信すべきチャネルが設定され、ＴＳ切替え部１３は、チューナ１２の出力を入力可能な状態に、画像切替え部３は、ビデオ再生部１５の出力を入力可能な状態に、音声切替え部５は、オーディオ再生部１６の出力を入力可能な状態に設定される。このような設定後、端末装置Ｅ1 は、受信トランスポートストリームＳＴT から映像信号ＳＬV およびオーディオ信号ＳＬA を再生し、映像およびそれに同期した音響を出力する（ステップＳ１）。より具体的には、チューナ１２は、アンテナ１１の出力トランスポートストリームＳＴT の内、設定されたチャネルを通じて送られてくるものを選択してＴＳ切替え部１３に出力する。ＴＳ切替え部１３は、入力トランスポートストリームＳＴT を分離部１４に出力する。分離部１４は、入力トランスポートストリームＳＴT に対して分離処理を行い、その結果得られる符号化映像信号ＣＳＬV および符号化オーディオ信号ＣＳＬA を、ビデオ再生部１５およびオーディオ再生部１６に出力する。ビデオ再生部１５は、入力された符号化映像信号ＣＳＬV を復号し、その結果得られる映像信号ＳＬV を、画像切替え部３を通じて表示装置４に出力する。また、オーディオ再生部１６は、入力された符号化オーディオ信号ＣＳＬA を復号し、その結果得られるオーディオ信号ＳＬA を、音声切替え部５を通じて、スピーカ部６に出力する。以上の処理により、表示装置４からは、対象コンテンツを構成する映像が出力され、スピーカ部６からは、出力映像に同期しているオーディオが出力される。なお、図１を参照すれば明らかなように、制御部８には、チューナ１２の出力トランスポートストリームＳＴT が送信されてくるが、ステップＳ１で、制御部８は好ましくは、入力トランスポートストリームＳＴT をコンテンツ蓄積部９に転送せずに破棄する。また、チューナ１２およびＴＳ切替え部１３の間にスイッチ（図示せず）を配し、ステップＳ１の実行時には、チューナ１２の出力トランスポートストリームＳＴT が制御部８に入力されないようにしても良い。
【００２５】
ステップＳ１の次に、プロセッサ８２は、状態検出部７から、着呼を示す状態通知ＣＳSTを受け取っているか否かを判断し（ステップＳ２）、それを受信していない場合、音声通話処理の必要性がないことから、ステップＳ１を繰り返し実行する。逆に、音声通話について最初の状態変化としての着呼を示す状態通知ＣＳSTを受信している場合、プロセッサ８２はまず、画像切替え部３および音声切替え部５の双方に、入力系統を切り替えるための制御信号ＣＳa を生成して送信する（ステップＳ３）。これによって、画像切替え部３は、制御部８の出力を入力可能な状態に、音声切替え部５は、音声再生部２３の出力を入力可能な状態に設定される。次に、プロセッサ８２は、プログラムＣＰ1 を構成する通話処理用プログラムの実行を開始する。それ以降、端末装置Ｅ1 は、音声通話のために基地局１０２と多重化信号ＳＬS を交換し、それに含まれる音声信号ＳＬS1を再生して、通話相手の音声を出力し、さらに、ユーザの音声を表す音声信号ＳＬS2から符号化音声信号ＣＳＬS2を作成して多重化し、多重化信号ＳＬS を基地局１０２に送信する。つまり、端末装置Ｅ1 は音声通話処理を行う（ステップＳ４）。より具体的には、無線通信部２２は、分離器および多重化器の機能を交互に切り替え、分離器として働く場合には、アンテナ２１からの入力多重化信号ＳＬS から符号化音声信号ＣＳＬS1を分離して、音声再生部２３に出力する。音声再生部２３は、入力符号化音声信号ＣＳＬS1を復号して、音声切替え部５を通じてスピーカ部６に、復号した音声信号ＳＬS1を出力する。以上の処理により、スピーカ部６からは、通話相手が話した内容が出力される。
【００２６】
また、音声入力部２４は、ユーザが話した内容を表す音声信号ＳＬS2を作成して、音声符号化部２５に出力する。音声符号化部２５は、入力音声信号ＳＬS2を符号化し、その結果得られる符号化音声信号ＣＳＬS2を無線通信部２２に出力する。無線通信部２２は、多重化器として働く場合、入力符号化音声信号ＣＳＬS2を多重化し、アンテナ２１を通じて、多重化信号ＳＬS を基地局１０２に送信する。
さらに、プロセッサ８２は、必要に応じて画像信号ＳＬI を作業領域８３上で作成して、画像切替え部３を通じて表示装置４に、作成したものを送信する。以上の処理により、表示装置４からは、現在時刻等を含む画像が出力される。
【００２７】
以上のステップＳ４が終了すると、プロセッサ８２の制御下で、チューナ１２の出力トランスポートストリームＳＴT がコンテンツ蓄積部９に書き込まれる（ステップＳ５）。次に、プロセッサ８２は、状態検出部７から、音声通話について次の音声通話の状態変化としての呼切断を示す状態通知ＣＳSTを受け取っているか否かを判断し（ステップＳ６）、それを受信していない場合、コンテンツの受信・再生を再開する必要性がないことから、呼切断が検出されるまで、ステップＳ４およびＳ５を実行する。それに対して、呼切断を示す状態通知ＣＳSTを受信している場合、プロセッサ８２は、時刻ｔ1 （図２参照）を検出したことになり、コンテンツの受信・再生を再開するために、画像切替え部３および音声切替え部５の双方に、入力系統を切り替えるための制御信号ＣＳb を生成して送信する（ステップＳ７）。これによって、画像切替え部３は、ビデオ再生部１５の出力を入力可能な状態に、音声切替え部５は、オーディオ再生部１６の出力を入力可能な状態に設定される。それ以降、コンテンツ再生部１は、ステップＳ１と同様の動作にして、コンテンツを構成する映像および音響を出力する（ステップＳ８）。
【００２８】
ここで、ステップＳ４およびＳ５の一連の処理が繰り返されている間、ビデオ再生部１５およびオーディオ再生部１６は動作する必要がないので、端末装置Ｅ1 の消費電力を抑える観点から、プロセッサ８２は、これらへの電力供給を停止しても良い。この場合、ステップＳ８において、プロセッサ８２はさらに、ビデオ再生部１５およびオーディオ再生部１６への電力供給を再開する必要がある。
【００２９】
ステップＳ８の次に、プロセッサ８２は、入力装置１０から開始指示ＳＬP を受信しているか否かを判断し（ステップＳ９）、それを受信していない場合、コンテンツ蓄積部９からトランスポートストリームＳＴT を読み出す必要がないことから、ステップＳ８を繰り返し実行する。逆に、開始指示ＳＬP を受信している場合、プロセッサ８２は、時刻ｔ2 （図２参照）を検出したことになり、ＴＳ切替え部１３の入力系統をチューナ１２側から制御部８側に変更するための制御信号ＣＳc を生成し、ＴＳ切替え部１３に送信する（ステップＳ１０）。以上のステップＳ１０により、ＴＳ切替え部１３は、上述通りに入力系統を変更する。次に、プロセッサ８２は、コンテンツ蓄積部９に格納されているトランスポートストリームＳＴT を読み出して、ＴＳ切替え部１３に転送する。分離部１４は、ＴＳ切替え部１３を通じて転送されてくるトランスポートストリームＳＴT を受信し、受信したものから分離した符号化映像信号ＣＳＬV および符号化オーディオ信号ＣＳＬA を、ビデオ再生部１５およびオーディオ再生部１６に出力する。ビデオ再生部１５およびオーディオ再生部１６は、ステップＳ１と同様に動作し、入力された符号化映像信号ＣＳＬV および符号化オーディオ信号ＣＳＬA から、映像信号ＳＬV およびオーディオ信号ＳＬA を再生し、表示装置４およびスピーカ部６に出力する。つまり、端末装置Ｅ1 は、対象コンテンツの読み出し・再生を行う（ステップＳ１１）。その結果、表示装置４からは、対象コンテンツを構成する映像の内、ユーザが音声通話の間視聴することができなかった部分が出力され、スピーカ部６からは、それに同期した音響が出力される。なお、ステップＳ１１では、ステップＳ１の場合と同様に、コンテンツ蓄積部９に、チューナ１２の出力トランスポートストリームＳＴT が格納されないよう、制御部８は各部を制御することが好ましい。
【００３０】
次に、プロセッサ８２は、コンテンツ蓄積部９に未再生のトランスポートストリームＳＴT があるか否かを判断し（ステップＳ１２）、それがある場合には、ステップＳ１１を繰り返し実行する。それに対して、トランスポートストリームＳＴT がない場合、ユーザが音声通話により見損ねた部分が全て再生されたことになるので、プロセッサ８２は、図３の処理を終了する。
【００３１】
以上の処理により、端末装置Ｅ1 は、図２に示すように、音声通話の間中、トランスポートストリームＳＴT をコンテンツ蓄積部９に書き込む。また、端末装置Ｅ1 は、ユーザが音声通話を終了し、さらに放送局１０１からのトランスポートストリームＳＴT の受信終了後、開始指示ＳＬP に応答して、コンテンツ蓄積部９に格納されたトランスポートストリームＳＴT の再生が始まる。これによって、コンテンツにおいて、音声通話に起因してユーザに出力できなかった部分を、本来の編成時間帯とは別のタイミングで出力可能な通信端末装置を提供することが可能となる。
【００３２】
また、上述したように、端末装置Ｅ1 は、ステップＳ１１において、コンテンツ蓄積部９からの読み出しが始まると、コンテンツ蓄積部９への蓄積を停止させることができる。従って、不必要なコンテンツはコンテンツ蓄積部９に記録されない。これによって、端末装置Ｅ1 は、コンテンツ蓄積部９の記録容量を効率的に使うことができる。
【００３３】
なお、以上の実施形態では、状態検出部７が、音声通話の状態変化を制御信号ＣＳM を使って検出していた。しかし、携帯電話に代表される端末装置Ｅ1 では、通常、オンフックおよびオフフック状態にするための入力装置を備えている。状態検出部７は、この入力装置の出力信号により、通話処理部がオフフック状態になった時を、音声通話について最初の状態変化、つまり音声通話の開始時点として検出し、通話処理部がオンフック状態になった時を、音声通話について次の状態変化、つまり音声通話の終了時点として検出するようにしても良い。
【００３４】
また、以上の実施形態では、通話処理部２は音声通話に関連する処理を行っていたが、これに限らず、テレビ電話に関連する処理を行っても良い。この場合、通話処理部２はさらに、通話相手側の画像情報を受信し再生して、前述の画像信号ＳＬI が表す画像の代わりに、通話相手側の様子を表す映像を表示し、さらに、本人側の画像情報を取り込み、符号化する必要がある。
【００３５】
また、以上の実施形態では、コンテンツはテレビ番組であると例示したが、これに限らず、コンテンツは、ラジオ放送事業者により定められた編成時間に従って、予定された時間帯に放送されるラジオ番組であっても構わない。以上のラジオ番組は、オーディオ信号ＳＬA で表現される音響で構成される。さらに、コンテンツは、インターネットに代表されるデジタルネットワークを介してサーバにより、ストリーミング配信される音楽、映像および音響から構成される番組、または音響から構成される番組であっても良い。以上の音楽は、オーディオ信号ＳＬA で表現される。
【００３６】
図４は、上述の端末装置Ｅ1 の第１の変型例である移動体通信端末装置（以下、単に、端末装置と称する）Ｅ2 の全体構成を示すブロック図である。図４において、端末装置Ｅ2 は、プログラムメモリ８１に格納されるのがコンピュータプログラム（以下、単に、プログラムと称する）ＣＰ2 である点と、入力装置１０が入力装置１０３に代わる点とを除き、端末装置Ｅ1 と同様の構成を有する。それ故に、図４において、図１の構成に相当するものには、同じ参照符号を付けて、それらの説明を省略する。
【００３７】
プログラムＣＰ2 は、プログラムＣＰ1 と同様の構成を有する。ただし、プログラムＣＰ2 を実行することで、端末装置Ｅ2 は、端末装置Ｅ1 と比較して、いくつかの異なる処理を行うが、この点については、図５および図６を参照して、後述する。
また、入力装置１０３は、ユーザの操作に応答して、トランスポートストリームＳＴT の受信・再生の終了を指示するための信号（以下、終了指示と称する）ＳＬF を制御部８に出力する。
【００３８】
次に、図５を参照して、以上の端末装置Ｅ2 において特徴的な動作を概説する。図５において、端末装置Ｅ2 がトランスポートストリームＳＴT の受信・再生中に着呼があった時を時刻ｔ0 とすると、時刻ｔ0 から音声通話が終了するまでユーザは対象コンテンツを視聴できなくなる。そのため、端末装置Ｅ2 は、ユーザが視聴できない間、受信トランスポートストリームＳＴT をコンテンツ蓄積部９に格納する。その後、呼切断時を時刻ｔ1 とすると、端末装置Ｅ2 は、時刻ｔ1 以降に、コンテンツ蓄積部９に格納されているトランスポートストリームＳＴT を読み出し、ｎ倍速で再生する。ここで、ｎはｎ＞１を満たす数である。また、この時、対象コンテンツにおいて、音声通話に起因してユーザが視聴できなかった部分が先頭から順次読み出される。このように、音声通話後に、ｎ倍速再生が開始されると、ユーザは、対象コンテンツにおいて、本来の編成時間に従って放送されている部分（時刻ｔ1 以降の部分）を視聴できなくなるので、端末装置Ｅ2 は、時刻ｔ1 以降も、本来の編成時間に従って放送されるトランスポートストリームＳＴT 、つまり対象コンテンツを、コンテンツ蓄積部９に格納し続ける。以上のような場合、ｎ倍速再生されているコンテンツは徐々に、実際に放送されているコンテンツに近づいていき、コンテンツ蓄積部９に格納されるトランスポートストリームＳＴT は減っていく。つまり、時刻ｔ1 からｔ2 までは、ｎ倍速タイムシフト再生が行われる。ｎ倍速のタイムシフト再生とは、上述からも明らかなように、デジタル放送本来の編成時間とは別の時間軸に沿って対象コンテンツをｎ倍速で再生することを意味する。
【００３９】
以上のｎ倍速タイムシフト再生の結果、コンテンツ蓄積部９のデータが実質的に空になり、トランスポートストリームＳＴT の読み出しが不可能になる。この時刻をｔ2 とすると、時刻ｔ2 を検出した時以降、端末装置Ｅ2 は、コンテンツ蓄積部９への書込みおよびコンテンツ蓄積部９からの読み出しを終了して、放送局１０１から本来の編成時間に従って放送されているトランスポートストリームＳＴT の受信・再生を行う。
【００４０】
次に、図６のフローチャートを参照して、図５を参照して概説した端末装置Ｅ2 の動作を詳説する。図６は、図３と比較すると、ステップＳ７〜Ｓ１２の代わりに、ステップＳ２１〜Ｓ２６を含む点で相違する。それ以外に両フローチャートの間には相違点は無い。それ故、図６において、図３のステップに相当するものには、同一のステップ番号を付けて、それぞれの説明を省略する。
【００４１】
ステップＳ６において呼切断があったと判断すると、プロセッサ８２は、時刻ｔ1 （図５参照）を検出したことになり、コンテンツのｎ倍速タイムシフト再生を行うために、画像切替え部３および音声切替え部５の双方に、入力系統を切り替えるための制御信号ＣＳb を生成して送信する（ステップＳ２１）。これによって、画像切替え部３は、ビデオ再生部１５の出力を入力可能な状態に、音声切替え部５は、オーディオ再生部１６の出力を入力可能な状態に設定される。さらに、プロセッサ８２は、ｎ倍速タイムシフト再生を行うために、ＴＳ切替え部１３の入力系統をチューナ１２側から制御部８側に変更し、さらに、ビデオ再生部１５およびオーディオ再生部１６の双方にｎ倍速再生を行うように指示するための制御信号ＣＳc を生成し、ＴＳ切替え部１３、ビデオ再生部１５およびオーディオ再生部１６に送信する（ステップＳ２２）。これによって、ＴＳ切替え部１３は、上述通り、入力系統を変更し、ビデオ再生部１５およびオーディオ再生部１６の再生速度はｎ倍に設定される。
【００４２】
次に、プロセッサ８２は、コンテンツ蓄積部９に格納されているトランスポートストリームＳＴT を読み出して、ＴＳ切替え部１３に転送する。この時、対象コンテンツにおいて、音声通話に起因してユーザが視聴できなかった部分が先頭から順次読み出される。つまり、蓄積トランスポートストリームＳＴT において、音声通話期間に格納された部分が先頭から順次読み出される。分離部１４は、ＴＳ切替え部１３を通じて転送されてくるトランスポートストリームＳＴT に対して分離処理を行い、その結果得られる符号化映像信号ＣＳＬV および符号化オーディオ信号ＣＳＬA を、ビデオ再生部１５およびオーディオ再生部１６に出力する。ビデオ再生部１５は、入力された符号化映像信号ＣＳＬV から、ｎ倍速再生に必要なピクチャを選択し、選択したピクチャをＭＰＥＧに従って復号して、映像信号ＳＬV を再生する。再生された映像信号ＳＬV は、画像切替え部３を通じて、表示装置４に出力される。また、オーディオ再生部１６は、入力された符号化オーディオ信号ＣＳＬA から、ｎ倍速再生に必要な部分を選択し、選択したものをＭＰＥＧに従って復号して、オーディオ信号ＳＬA に再生する。再生されたオーディオ信号ＳＬA は、音声切替え部５を通じて、スピーカ部６に出力される。また、プロセッサ８２の制御下で、チューナ１２の出力トランスポートストリームＳＴT がコンテンツ蓄積部９に書き込まれる。以上のように、端末装置Ｅ2 では、ｎ倍速のタイムシフト再生が行われる（ステップＳ２３）。ステップＳ２３の結果、表示装置４からは、ユーザが音声通話の間に視聴できなかったコンテンツが先頭からｎ倍速で出力され、スピーカ部６からは、それに同期した音響が出力される。
【００４３】
次に、プロセッサ８２は、コンテンツ蓄積部９に未再生のトランスポートストリームＳＴT があるか否かを判断し（ステップＳ２４）、それがある場合には、ステップＳ２３を繰り返し実行する。それに対して、トランスポートストリームＳＴT がない場合、対象コンテンツにおいて音声通話に起因して見損ねた部分を全て、ユーザは視聴したことになり、さらには時刻ｔ2 （図５参照）を検出したことになるので、プロセッサ８２は、コンテンツの受信・再生を行うために、ＴＳ切替え部１３の入力系統を制御部８側からチューナ１２側に変更し、さらに、ビデオ再生部１５およびオーディオ再生部１６の双方に１倍速再生を行うように指示するための制御信号ＣＳd を生成し、ＴＳ切替え部１３、ビデオ再生部１５およびオーディオ再生部１６に送信する（ステップＳ２５）。これによって、ＴＳ切替え部１３は、上述通り、入力系統を変更し、ビデオ再生部１５およびオーディオ再生部１６の再生速度は１倍に設定される。それ以降、コンテンツ再生部１は、ステップＳ１と同様の動作にして、対象コンテンツを再生する（ステップＳ２６）。次に、プロセッサ８２は、終了指示ＳＬF を受信しているか否かを判断し（ステップＳ２７）、それを受信していない場合には、ユーザが対象コンテンツをまだ視聴していると判断して、ステップＳ２６を繰り返し実行する。それに対して、終了指示ＳＬF を受信している場合には、ユーザがコンテンツの視聴を終えたと判断して、図６の処理を終了する。
【００４４】
以上の処理により、端末装置Ｅ2 は、図５に示すように、音声通話の開始時点（つまり、時刻ｔ0 ）から時刻ｔ2 まで、トランスポートストリームＳＴT をコンテンツ蓄積部９に書込み、音声通話の終了時点（つまり、時刻ｔ1 ）から、コンテンツ蓄積部９に格納されている対象コンテンツにおいて、ユーザが視聴していない部分を先頭からｎ倍速で再生し始める。このようなｎ倍速のタイムシフト再生は時刻ｔ1 からｔ2 まで行われる。これによって、コンテンツ蓄積部９に格納されるトランスポートストリームＳＴT を小容量にすることができ、さらにその格納領域をいち早く解放することが可能になるので、コンテンツ蓄積部９の記録領域を有効利用することが可能になる。
【００４５】
なお、以上の変型例では、ビデオ再生部１５およびオーディオ再生部１６がｎ倍速再生に必要なものを選択して再生していたが、これに限らず、プロセッサ８２が、コンテンツ蓄積部９に蓄積されたトランスポートストリームＳＴT から、ｎ倍速再生に必要な部分のみを読み出して、ＴＳ切替え部１３に転送するようにしても良い。
【００４６】
また、以上の変型例では、プロセッサ８２が、コンテンツ蓄積部９にトランスポートストリームＳＴT が残っているか否かに基づいて、ｎ倍速再生から１倍速再生に遷移するタイミングを判断していたが、これに限らず、書込み中のトランスポートストリームＳＴT に含まれるＰＴＳ(Presentation Time Stamp )の値と、読み出し中のトランスポートストリームＳＴT に含まれるＰＴＳの値との差が実質的にゼロになった時に、ｎ倍速再生から１倍速再生に遷移するようにしても良い。
【００４７】
他にも、対象コンテンツにおいて、ユーザが不要と想定可能な部分（典型的にはコマーシャル）を飛ばして、テレビ番組のみが再生されると、コンテンツ蓄積部９が実質的に空になる場合がある。このような時刻ｔ2 を検出した時以降、端末装置Ｅ2 は、放送局１０１から本来の編成時間に従って放送されているトランスポートストリームＳＴT の受信・再生を行っても良い。さらに、この場合において、コンテンツ蓄積部９に、ユーザが不要と想定可能な部分を書き込まないようにすることが好ましい。これにより、コンテンツ蓄積部９において、対象コンテンツが占有する格納領域を少なくすることができる。
【００４８】
図７は、上述の端末装置Ｅ1 の第２の変型例である移動体通信端末装置（以下、単に、端末装置と称する）Ｅ3 の全体構成を示すブロック図である。図７において、端末装置Ｅ3 は、プログラムメモリ８１に格納されるのがコンピュータプログラム（以下、単に、プログラムと称する）ＣＰ3 である点と、画像切替え部３が画像合成部１０４に代わる点とを除き、端末装置Ｅ1 と同様の構成を有する。それ以外に両端末装置Ｅ3 およびＥ1 の間に相違点は無いので、図７において、図１の構成に相当するものには、同じ参照符号を付けて、それらの説明を省略する。
【００４９】
プログラムＣＰ3 は、プログラムＣＰ1 と同様の構成を有する。プログラムＣＰ3 を実行することで、端末装置Ｅ3 は、端末装置Ｅ1 と比較して、いくつかの異なる処理を行うが、この点については、図８および図９を参照して後述する。
画像合成部１０４には、音声通話の間、ビデオ再生部１５からの映像信号ＳＬV および、制御部８で生成された画像信号ＳＬI が入力される。画像合成部１０４は、入力映像信号ＳＬV および入力画像信号ＳＬI を合成して、合成画像信号ＳＬM を生成して、表示装置４に出力する。なお、画像合成部１０４は、トランスポートストリームＳＴT の受信・再生時には、ビデオ再生部１５の出力映像信号ＳＬV をそのまま表示装置４に出力する。
【００５０】
次に、図８を参照して、以上の端末装置Ｅ3 において特徴的な動作を概説する。図８において、端末装置Ｅ3 がトランスポートストリームＳＴT の受信・再生中に着呼があった時を時刻ｔ0 とし、呼切断した時を時刻ｔ1 とする。これまでの説明では、時刻ｔ0 からｔ1 の間、ユーザは対象コンテンツを視ることができなかったが、本変型例では、端末装置Ｅ3 は、時刻ｔ0 からｔ1 の間、上述のような合成画像ＳＬM を生成して、表示する。これによって、ユーザは、音声通話の間にも、対象コンテンツを視聴することも可能になるため、より使い勝手の良い端末装置Ｅ3 を提供できるようになる。
【００５１】
次に、図９のフローチャートを参照して、図８を参照して概説した端末装置Ｅ3 の動作をより詳しく説明する。図９は、図３と比較すると、ステップＳ４の代わりに、ステップＳ３１を含む点で相違する。それ以外に両フローチャートの間には相違点は無い。それ故、図９において、図３のステップに相当するものには、同一のステップ番号を付けて、それぞれの説明を省略する。
【００５２】
ステップＳ２において、着呼を示す状態通知ＣＳSTを受信している場合、プロセッサ８２は、プログラムＣＰ3 を構成する通話処理用プログラムの実行を開始する。それ以降、端末装置Ｅ3 は、音声通話に必要な処理を行い、さらに、合成画像ＳＬM を作成し表示する（ステップＳ３１）。音声通話に必要な処理については、上述の実施形態と同様であるため、本変型例では説明を省略し、ここでは、合成画像ＳＬM の作成・表示について詳説する。つまり、プロセッサ８２は、必要に応じて画像信号ＳＬI を作業領域８３上で作成して、画像合成部１０４に送信する。画像合成部１０４には、上述したように、ビデオ再生部１５からの映像信号ＳＬV も入力される。画像合成部１０４は、入力画像信号ＳＬI および入力映像信号ＳＬV を合成して、音声通話に使われる画像上に、コンテンツを表す映像が重畳された合成画像信号ＳＬM を生成する。表示装置４は、以上の合成画像信号ＳＬM を受信して、受信したものに対して表示処理を行うことで、現在時刻等を含む画像と、対象コンテンツを表す映像とを出力する。以上の処理により、端末装置Ｅ3 は、音声通話の間であっても、対象コンテンツを出力することが可能になる。
【００５３】
なお、上述では、端末装置Ｅ3 は、端末装置Ｅ1 の変型例として説明したが、これに限らず、端末装置Ｅ2 を変形したものであっても良い。つまり、図６のステップＳ４の代わりに、上述のステップＳ３１が実行されても良い。
【００５４】
また、以上の変型例では、合成画像信号ＳＬM は、対象コンテンツと、音声通話に必要な画像とを合成したものであった。しかし、これに限らず、トランスポートストリームＳＴT に、コンテンツを構成する音声と同じ内容を文字で表すデータ、つまりキャプションを表すデータが多重されている場合には、画像合成部１０４は、図１０に示すように、キャプションをさらに合成した合成画像信号ＳＬM を生成しても良い。また、通話処理部２がテレビ電話に必要な処理を行う場合には、画像合成部１０４は、図１１に示すように通話相手側の映像をさらに合成した合成画像信号ＳＬM を生成しても良い。さらに、画像合成部１０４は、図１２に示すように、本人側の画像情報をさらに合成した合成画像信号ＳＬM を生成しても良い。
【００５５】
図１３は、上述の端末装置Ｅ1 の第３の変型例である移動体通信端末装置（以下、単に、端末装置と称する）Ｅ4 の全体構成を示すブロック図である。図１３において、端末装置Ｅ4 は、プログラムメモリ８１に格納されるのがコンピュータプログラム（以下、単に、プログラムと称する）ＣＰ4 である点と、無音検出部１０５をさらに含む点とを除き、端末装置Ｅ1 と同様の構成を有する。それ故、図１３において、図１の構成に相当するものには、同じ参照符号を付けて、それらの説明を省略する。
【００５６】
プログラムＣＰ4 は、プログラムＣＰ1 と同様の構成を有する。ただし、プログラムＣＰ4 を実行することで、端末装置Ｅ4 は、端末装置Ｅ1 と比較して、いくつかの異なる処理を行うが、この点については、図１４および図１５を参照して、後で詳細に説明する。
無音検出部１０５には、音声再生部２３の出力音声信号ＳＬS1が入力される。無音検出部１０５は典型的には、入力音声信号ＳＬS1の振幅値から、相手方が会話していない無音時間帯ＢNSをそれぞれ検出し、その開始時点または終了時点を示すタイミング信号ＳＬT を生成し、制御部８に出力する。
【００５７】
次に、図１４を参照して、以上の端末装置Ｅ4 において特徴的な動作を概説する。図１４において、時刻ｔ0 およびｔ1 を前述通りに定義すると、前述の実施形態では、時刻ｔ0 からｔ1 の間、ユーザは対象コンテンツを構成する音声を聴くことができなかったが、本変型例では、端末装置Ｅ4 は、音声信号ＳＬS1から、相手方が会話していない無音時間帯ＢNSをそれぞれ検出し、検出した無音時間帯ＢNSでは、オーディオ再生部１６からオーディオ信号ＳＬA がスピーカ部６に入力されるように、音声切替え部５の入力系統を設定する。これによって、ユーザは、音声通話の期間中であっても無音時間帯ＢNSの間に限り、対象コンテンツの音声を聴くことが可能になるため、より使い勝手の良い端末装置Ｅ4 を提供できるようになる。
【００５８】
次に、図１５のフローチャートを参照して、以上の端末装置Ｅ4 の動作を詳説する。図１５は、図３と比較すると、ステップＳ４１〜Ｓ４４をさらに含む点で相違する。それ以外に両フローチャートの間には相違点は無い。それ故、図１５において、図３のステップに相当するものには、同一のステップ番号を付けて、それぞれの説明を省略する。
【００５９】
ステップＳ５の次に、プロセッサ８２は、無音検出部１０５からタイミング信号ＳＬT を受け取っているか否かを判断し（ステップＳ４１）、それ受け取っていなければ、音声切替え部５の切り替えを行う必要性がないことから、ステップＳ６を実行する。それに対して、タイミング信号ＳＬT を受け取っている場合、プロセッサ８２は、それが無音時間帯ＢNSの終了時点を示しているか否かを判断し（ステップＳ４２）、そうでなければ、その開始時点を示すタイミング信号ＳＬT を受信していることになるので、音声切替え部５の入力系統を音声再生部２３からオーディオ再生部１６へと切り替えるための制御信号ＣＳd を生成し、音声切替え部５に出力する（ステップＳ４３）。逆に、ステップＳ４２で無音時間帯ＢNSの終了時点を示すタイミング信号ＳＬT を受信している場合には、プロセッサ８２は、音声切替え部５の入力系統をオーディオ再生部１６から音声再生部２３へと切り替えるための制御信号ＣＳe を生成し、音声切替え部５に出力する（ステップＳ４４）。以上のステップＳ４３またはステップＳ４４の実行が終了すると、プロセッサ８２は、ステップＳ４を再度実行する。以上の処理により、図１３を参照して説明したように、端末装置Ｅ4 は、音声通話の期間中であっても無音時間帯ＢNSの間に限り、対象コンテンツを構成する音声を出力することが可能になる。
【００６０】
なお、上述では、端末装置Ｅ4 は、端末装置Ｅ1 の変型例として説明したが、これに限らず、端末装置Ｅ2 またはＥ3 を変形したものであっても良い。つまり、上述のステップＳ４１〜Ｓ４４は、図６または図９のフローチャートに組み込まれても良い。
【００６１】
図１６は、上述の端末装置Ｅ1 の第４の変型例である移動体通信端末装置（以下、単に、端末装置と称する）Ｅ5 の全体構成を示すブロック図である。図１６において、端末装置Ｅ5 は、プログラムメモリ８１に格納されるのがコンピュータプログラム（以下、単に、プログラムと称する）ＣＰ5 である点と、音声切替え部５およびスピーカ部６が、音声切替え部１０６、第１のスピーカ部１０７および第２のスピーカ部１０８に代わる点とを除き、端末装置Ｅ1 と同様の構成を有する。それ故、図１６において、図１の構成に相当するものには、同じ参照符号を付けて、それらの説明を省略する。
【００６２】
プログラムＣＰ5 は、プログラムＣＰ1 と同様の構成を有する。ただし、プログラムＣＰ5 を実行することで、端末装置Ｅ4 は、端末装置Ｅ1 と比較して、いくつかの異なる処理を行うが、この点については、図１７および図１８を参照して、後で詳細に説明する。
音声切替え部１０６には、オーディオ再生部１６の出力オーディオ信号ＳＬA と、音声再生部２３の出力音声信号ＳＬS1とが入力される。音声切替え部１０６は、トランスポートストリームＳＴT の受信・再生中には、入力オーディオ信号ＳＬA を、第１のスピーカ部１０７および第２のスピーカ部１０８に出力する。それに対して、音声切替え部１０６は、音声通話中には、入力オーディオ信号ＳＬA を、第１のスピーカ部１０７および第２のスピーカ部１０８のいずれか一方に出力し（図１６においては、第２のスピーカ部１０８に出力）、入力音声信号ＳＬS1を、第１のスピーカ部１０７および第２のスピーカ部１０８のいずれか他方に出力する（図１６においては、第１のスピーカ部１０７に出力）。ここで、音声切替え部１０６は、制御部８の出力制御信号ＣＳa およびＣＳb に従って、入出力系統を切り替える。
第１および第２のスピーカ部１０７および１０８は、ステレオ出力のためのＬ側およびＲ側のスピーカ部である。
【００６３】
次に、図１７を参照して、以上の端末装置Ｅ5 において特徴的な動作を概説する。図１７において、前述の実施形態でも説明したように、時刻ｔ0 からｔ1 の間、ユーザは対象コンテンツを構成する音響を聴くことができなかったが、本変型例では、端末装置Ｅ5 は、音声通話期間中に限り、音声切替え部１０６を制御して、音声再生部２３からの音声信号ＳＬS1を第１のスピーカ部１０７から出力し、オーディオ再生部１６からのオーディオ信号ＳＬA を、第２のスピーカ部１０８から出力する。これによって、ユーザは、音声通話の期間中であっても対象コンテンツの音響を聴くことが可能になるため、より使い勝手の良い端末装置Ｅ5 を提供できるようになる。
【００６４】
次に、図１８のフローチャートを参照して、以上の端末装置Ｅ5 の動作を詳説する。図１８は、図３と比較すると、ステップＳ３、Ｓ４およびＳ７の代わりに、ステップＳ５１〜Ｓ５３をさらに含む点で相違する。それ以外に両フローチャートの間には相違点は無い。それ故、図１８において、図３のステップに相当するものには、同一のステップ番号を付けて、それぞれの説明を省略する。
【００６５】
ステップＳ２において着呼を示す状態通知ＣＳSTを受信している場合、プロセッサ８２は、画像切替え部３および音声切替え部５の双方に、入力系統を切り替えるための制御信号ＣＳa を生成して送信する（ステップＳ５１）。これによって、画像切替え部３は、制御部８の出力を入力可能な状態に、音声切替え部５は、オーディオ再生部１６および音声再生部２３の双方の出力を入力可能な状態に設定される。
【００６６】
次に、プロセッサ８２は、プログラムＣＰ5 の通話処理用プログラムの実行を開始する。それ以降、端末装置Ｅ5 は、音声通話のために基地局１０２と多重化信号ＳＬS を交換し、それに含まれる音声信号ＳＬS1を再生して、通話相手の音声を出力し、さらに、ユーザの音声を表す符号化音声信号ＣＳＬS2を作成して多重化し、多重化信号ＳＬS を基地局１０２に送信する（ステップＳ５２）。より具体的には、無線通信部２２は、分離器および多重化器の機能を交互に切り替え、分離器として働く場合には、アンテナ２１からの入力多重化信号ＳＬS から符号化音声信号ＣＳＬS1を分離して、音声再生部２３に出力する。音声再生部２３は、入力符号化音声信号ＣＳＬS1を復号して、音声切替え部１０６を通じて、第１のスピーカ部１０７および第２のスピーカ部１０８のいずれか一方に、復号した音声信号ＳＬS1を出力する。また、同時に、オーディオ再生部１６は、再生したオーディオ信号ＳＬA を、音声切替え部１０６を通じて、第１のスピーカ部１０７および第２のスピーカ部１０８のいずれか他方に出力する。以上の処理により、スピーカ部６からは、通話相手が話した内容、およびコンテンツを構成する音声が出力される。
【００６７】
また、音声符号化部２５は、音声入力部２４からの音声信号ＳＬS2を符号化して、符号化音声信号ＣＳＬS2を無線通信部２２に出力する。無線通信部２２は、多重化器として働く場合、入力符号化音声信号ＣＳＬS2を多重化し、アンテナ２１を通じて、多重化信号ＳＬS を基地局１０２に送信する。
さらに、プロセッサ８２は、必要に応じて画像信号ＳＬI を作業領域８３上で作成して、画像切替え部３を通じて表示装置４に、作成したものを送信する。以上の処理により、表示装置４からは、現在時刻等を含む画像が出力される。
【００６８】
また、ステップＳ６で呼切断があったと判断されると、プロセッサ８２は、画像切替え部３および音声切替え部５の双方に、入力系統を切り替えるための制御信号ＣＳb を生成して送信する（ステップＳ５３）。これによって、画像切替え部３は、ビデオ再生部１５の出力を入力可能な状態に、音声切替え部１０６は、オーディオ再生部１６の出力を入力可能な状態に設定される。以上の処理により、図１７を参照して説明したように、端末装置Ｅ5 は、音声通話中であっても、対象コンテンツを構成する音響を出力することが可能になる。
【００６９】
なお、上述では、端末装置Ｅ5 は、端末装置Ｅ1 の変型例として説明したが、これに限らず、端末装置Ｅ2 またはＥ3 を変形したものであっても良い。つまり、上述のステップＳ５１〜Ｓ５３は、図６または図９のフローチャートに組み込まれても良い。
【００７０】
図１９は、上述の端末装置Ｅ1 の  第５の変型例に係る移動体通信端末装置（以下、単に、端末装置と称する）Ｅ6 の全体構成を示すブロック図である。図１９において、端末装置Ｅ6 は、前述の端末装置Ｅ1 と比較すると、プログラムメモリ８１にコンピュータプログラムＣＰ6 が格納される点と、入力装置１０９をさらに備える点と、予約蓄積部１１０をさらに備える点とで相違する。それ以外に、両端末装置Ｅ6 およびＥ1 に相違点はないので、図１９において、図１の構成に相当するものには同一の参照番号を付けて、その説明を省略する。
【００７１】
プログラムＣＰ6 は、プログラムＣＰ1 と同様の構成を有する。ただし、プログラムＣＰ6 を実行することで、端末装置Ｅ6 は、端末装置Ｅ1 と比較して、いくつかの異なる処理を行うが、この点については、図２０および図２１を参照して、後で詳細に説明する。
【００７２】
入力装置１０９は、ユーザの操作に応答して、ユーザが将来視聴したいコンテンツのチャネルおよび放送開始時刻を示す信号（以下、予約情報と称する）ＳＬR を制御部８に出力する。
【００７３】
次に、図２０を参照して、以上の端末装置Ｅ6 において特徴的な動作を概説する。図２０において、端末装置Ｅ6 の予約蓄積部１１０には、ユーザが入力装置１０９を操作することにより生成された予約情報ＳＬR が格納される。その後、端末装置Ｅ6 を使ってユーザが音声通話している最中に、予約情報ＳＬR により特定されるコンテンツ（以下、対象コンテンツと称する）が始まった時を、時刻ｔ0 とすると、時刻ｔ0 から音声通話が終了するまでユーザは対象コンテンツを視聴できなくなる。なお、コンテンツの定義に関しては、第１の実施形態と同様である。そのため、端末装置Ｅ6 は、ユーザが視聴できない間、受信トランスポートストリームＳＴT をコンテンツ蓄積部９に格納する。その後、音声通話が終了し、呼切断した時を時刻ｔ1 とすると、端末装置Ｅ6 では、時刻ｔ1 以降の時刻ｔ2 から、受信トランスポートストリームＳＴT が再生される。これによって、ユーザは、対象コンテンツにおいて、音声通話の期間中に放送されていた部分を視聴することが可能となる。
【００７４】
次に、図２１のフローチャートを参照して、図２０を参照して概説した端末装置Ｅ6 の動作を詳説する。図２１において、ユーザは、端末装置Ｅ6 の入力装置１０９を操作して、対象コンテンツのチャネルおよび放送開始時刻を入力する。その入力に応答して、入力装置１０９は、入力されたものを示す予約情報ＳＬR を生成する。生成された予約情報ＳＬR は、プロセッサ８２の制御下で、予約蓄積部１１０に格納される（ステップＳ６１）。
【００７５】
その後、通話処理部２に着呼を示す制御信号ＣＳM が到着すると、プロセッサ８２は、状態検出部７から状態通知ＣＳSTを受け取り、それに応答して、プログラムＣＰ6 を構成する通話処理用のプログラムを実行する。この時、画像切替え部３は、制御部８の出力を入力可能な状態に、音声切替え部５は、音声再生部２３の出力を入力可能な状態に設定される。その後、端末装置Ｅ6 は、前述のステップＳ４と同様にして、音声通話のために基地局１０２と多重化信号ＳＬS を交換する（ステップＳ６２）。
【００７６】
次に、プロセッサ８２は、予約蓄積部１１０にアクセスし、予約情報ＳＬR で特定される対象コンテンツが始まっているか否かを判断し（ステップＳ６３）、始まっていない場合には、トランスポートストリームＳＴT の書込みを行う必要性がないことから、ステップＳ６２を繰り返し実行する。それに対して、対象コンテンツが始まっている場合、プロセッサ８２は、前述のステップＳ５と同様にして、プロセッサ８２の制御下で、プロセッサ８２によって、チューナ１２が受信すべきチャネルが設定された後に、チューナ１２の出力トランスポートストリームＳＴT をコンテンツ蓄積部９に書き込む（ステップＳ６４）。書込みが終了すると、プロセッサ８２は、ステップＳ６と同様にして、呼切断を示す状態通知ＣＳSTを受け取っているか否かを判断し（ステップＳ６５）、それを受け取っていない場合には、コンテンツ蓄積部９内のトランスポートストリームＳＴT の再生を行う必要性がないことから、ステップＳ６２を再度実行する。それに対して、呼切断を示す状態通知ＣＳSTを受信している場合には、プロセッサ８２は、それに必要な処理を行った後に、コンテンツ蓄積部９への書込みを終了し、さらに、画像切替え部３および音声切替え部５の双方に入力系統の切り替えを指示するための制御信号ＣＳa を生成し、それぞれに送信する（ステップＳ６６）。
【００７７】
ステップＳ６６により入力系統が切り替えられた結果、前述のステップＳ１と同様に、表示装置４からは対象コンテンツを表す映像が出力され、スピーカ部６からはそれに同期した音声が出力される（ステップＳ６７）。その後、プロセッサ８２は、入力装置１０から開始指示ＳＬP を受信しているか否かを判断し（ステップＳ６８）、それを受信していない場合、コンテンツ蓄積部９からトランスポートストリームＳＴT を読み出す必要がないことから、ステップＳ６７を繰り返し実行する。それに対して、開始指示ＳＬP を受信している場合、プロセッサ８２は、ＴＳ切替え部１３の入力系統をチューナ１２側から制御部８側に変更するための制御信号ＣＳc を生成し、分離部１４に送信する（ステップＳ６９）。以上のステップＳ６９により、ＴＳ切替え部１３は、上述通りに入力系統を変更する。
【００７８】
次に、プロセッサ８２は、コンテンツ蓄積部９に格納されているトランスポートストリームＳＴT を読み出して、ＴＳ切替え部１３に転送する。分離部１４は、ＴＳ切替え部１３を通じて転送されてくるトランスポートストリームＳＴT に対して分離処理を行い、その結果得られる符号化映像信号ＣＳＬV およびオーディオ信号ＣＳＬA をビデオ再生部１５およびオーディオ再生部１６に出力する。ビデオ再生部１５およびオーディオ再生部１６は、ステップＳ１と同様に動作して、映像信号ＳＬV およびオーディオ信号ＳＬA を再生する（ステップＳ６１０）。その結果、表示装置４からは、ユーザが音声通話の間視聴できなかった対象コンテンツを表す映像が出力され、スピーカ部６からは、それに同期した音響が出力される。
【００７９】
次に、プロセッサ８２は、ステップＳ１１と同様に、コンテンツ蓄積部９に未再生のトランスポートストリームＳＴT があるか否かを判断し（ステップＳ６１１）、それがある場合には、ステップＳ６１０を繰り返し実行する。それに対して、トランスポートストリームＳＴT がない場合、音声通話により見損ねた部分を全て、ユーザは視聴したことになるので、プロセッサ８２は、図２１の処理を終了する。
【００８０】
以上の処理により、端末装置Ｅ6 は、図２０に示すように、対象コンテンツの放送開始後、音声通話の間中、トランスポートストリームＳＴT をコンテンツ蓄積部９に書込み、ユーザが音声通話を終了し、さらに放送局１０１からトランスポートストリームＳＴT を受信することを終了した後、コンテンツ蓄積部９に格納されているトランスポートストリームＳＴT の再生が始まる。これによって、コンテンツにおいて、音声通話に起因してユーザに出力できなかった部分を、本来の編成時間帯とは別のタイミングで出力可能な通信端末装置を提供することが可能となる。
【００８１】
なお、上述では、端末装置Ｅ6 は、端末装置Ｅ1 の変型例として説明したが、これに限らず、端末装置Ｅ2 〜Ｅ5 を変形したものであっても良い。また、端末装置Ｅ6 の機能を、端末装置Ｅ1 〜Ｅ5 に組み合わせても良い。
【００８２】
図２２は、上述の端末装置Ｅ1 の第６の変型例である移動体通信端末装置（以下、単に、端末装置と称する）Ｅ7 の全体構成を示すブロック図である。図２２において、端末装置Ｅ7 は、プログラムメモリ８１に格納されるのがコンピュータプログラム（以下、単に、プログラムと称する）ＣＰ7 である点と、入力装置１０が特に必要無い点とを除き、端末装置Ｅ1 と同様の構成を有する。それ故に、図２２において、図１の構成に相当するものには、同じ参照符号を付けて、それらの説明を省略する。
【００８３】
プログラムＣＰ7 は、プログラムＣＰ1 と同様の構成を有する。ただし、プログラムＣＰ7 を実行することで、端末装置Ｅ7 は、端末装置Ｅ1 と比較して、いくつかの異なる処理を行うが、この点については、図２３および図２４を参照して、後述する。
【００８４】
次に、図２３を参照して、以上の端末装置Ｅ7 において特徴的な動作を概説する。図２３において、前述同様、時刻ｔ0 からｔ1 の間、音声通話が行われるので、ユーザは対象コンテンツを視聴できなくなる。そのため、端末装置Ｅ7 は、時刻ｔ1 以降、少なくとも対象コンテンツの放送が終了する時刻ｔ2 まで、受信トランスポートストリームＳＴT をコンテンツ蓄積部９に格納する。その後、呼切断（時刻ｔ1 ）の直後に、端末装置Ｅ7 は、コンテンツ蓄積部９に格納されているトランスポートストリームＳＴT を読み出し、１倍速で再生する。また、この時、対象コンテンツにおいて、音声通話に起因してユーザが視聴できなかった部分が先頭から順次読み出され、ユーザに提供される。したがって、端末装置Ｅ7 は、時刻ｔ1 から、コンテンツ蓄積部９からの読み出しが終了する時刻ｔ3 までの間、コンテンツ蓄積部９内の対象コンテンツがユーザに提供される。つまり、音声通話後に、端末装置Ｅ7 は、コンテンツをタイムシフト再生、つまり、本来の編成時間から時間（ｔ1 −ｔ0 ）だけずれた時間軸に沿ってコンテンツを再生することになる。
【００８５】
次に、図２４のフローチャートを参照して、図２３を参照して概説した端末装置Ｅ7 の動作を詳説する。図２４は、図３と比較すると、ステップＳ７〜Ｓ１２の代わりに、ステップＳ７１〜Ｓ７４を含む点で相違する。それ以外に両フローチャートの間には相違点は無い。それ故、図２４において、図３のステップに相当するものには、同一のステップ番号を付けて、それぞれの説明を省略する。
【００８６】
ステップＳ６において呼切断があったと判断すると、プロセッサ８２は、時刻ｔ1 （図２３参照）を検出したことになり、図６のステップＳ２１で説明した制御信号ＣＳb を生成して送信する（ステップＳ７１）。これによって、画像切替え部３および音声切替え部５は、ステップＳ２１で説明した状態に設定される。さらに、プロセッサ８２は、ＴＳ切替え部１３の入力系統を制御部８側に変更し、さらに、図６のステップＳ２２で説明した制御信号ＣＳc を生成し、必要な構成に送信する（ステップＳ７２）。これによって、ＴＳ切替え部１３は、上述通り、入力系統を変更し、ビデオ再生部１５およびオーディオ再生部１６の再生速度は１倍に設定される。
【００８７】
次に、プロセッサ８２は、コンテンツ蓄積部９内のトランスポートストリームＳＴT を読み出して、ＴＳ切替え部１３に転送する。この時、対象コンテンツにおいて、音声通話に起因してユーザが視聴できなかった部分が先頭から順次読み出される。分離部１４は、ＴＳ切替え部１３を通じて受信したトランスポートストリームＳＴT から、符号化映像信号ＣＳＬV および符号化オーディオ信号ＣＳＬA を再生し、ビデオ再生部１５およびオーディオ再生部１６に出力する。これによって、映像信号ＳＬV がビデオ再生部１５により再生され、画像切替え部３を通じて表示装置４に出力される。また、オーディオ信号ＳＬA は、オーディオ再生部１６により再生され、音声切替え部５を通じてスピーカ部６に出力される。さらに、プロセッサ８２の制御下で、チューナ１２の出力トランスポートストリームＳＴT がコンテンツ蓄積部９に書き込まれ続ける。以上のように、端末装置Ｅ7 では、タイムシフト再生が行われる（ステップＳ７３）。ステップＳ７３の結果、表示装置４からは、ユーザが音声通話の間に視聴できなかったコンテンツが先頭から１倍速で出力され、スピーカ部６からは、それに同期した音響が出力される。
【００８８】
次に、プロセッサ８２は、タイムシフト再生を終了するか否かを判断し（ステップＳ７４）、終了しない場合には、ステップＳ７３を繰り返し実行する。逆に、タイムシフト再生を終了する場合、図２４の処理を終了する。
【００８９】
以上の処理により、端末装置Ｅ7 は、図２３に示すように、音声通話の開始時点（つまり、時刻ｔ0 ）以降、トランスポートストリームＳＴT をコンテンツ蓄積部９に書込み、音声通話の終了時点（つまり、時刻ｔ1 ）から、コンテンツ蓄積部９に格納されている対象コンテンツにおいて、ユーザが視聴していない部分を先頭からタイムシフト再生し始める。これによって、コンテンツにおいて、音声通話に起因してユーザに出力できなかった部分を、本来の編成時間帯とは別のタイミングで出力可能な通信端末装置を提供することが可能となる。
【００９０】
図２５は、上述の端末装置Ｅ1 の第７の変型例である移動体通信端末装置（以下、単に、端末装置と称する）Ｅ8 の全体構成を示すブロック図である。図２５において、端末装置Ｅ8 は、分離部１４が分離部１２０に代わる点と、プログラムメモリ８１に格納されるのがコンピュータプログラム（以下、単に、プログラムと称する）ＣＰ8 である点とを除き、端末装置Ｅ1 と同様の構成を有する。それ以外に両端末装置Ｅ3 およびＥ1 の間に相違点は無いので、図２５において、図１の構成に相当するものには、同じ参照符号を付けて、それらの説明を省略する。
【００９１】
分離部１２０は、分離部１４と同様に、ＴＳ切替え部１３の出力トランスポートストリームＳＴT から分離した符号化映像信号ＣＳＬV および符号化オーディオ信号ＣＳＬA を、ビデオ再生部１５およびオーディオ再生部１６に出力する。そのほかに、分離部１２０は、入力トランスポートストリームＳＴT から、現在受信しているコンテンツの放送終了時刻が少なくとも記述されているＰＭＴ（Program Map Table ）を分離して、プロセッサ８２に送る。
【００９２】
プログラムＣＰ8 は、プログラムＣＰ1 と同様の構成を有する。プログラムＣＰ8 を実行することで、端末装置Ｅ8 は、端末装置Ｅ1 と比較して、いくつかの異なる処理を行うが、この点については、図２６および図２７を参照して後述する。
【００９３】
次に、図２６を参照して、以上の端末装置Ｅ8 において特徴的な動作を概説する。図２６において、前述した通り、時刻ｔ0 からｔ1 の間、ユーザは音声通話を行うが、対象コンテンツが時刻ｔ0 からｔ1 までの間の時刻ｔ2 で終了した場合、プロセッサ８２は、対象コンテンツのコンテンツ蓄積部９への書込みを終了させる。
【００９４】
次に、図２７のフローチャートを参照して、図２６を参照して概説した端末装置Ｅ8 の動作をより詳しく説明する。図２７は、図３と比較すると、ステップＳ８１〜Ｓ８３をさらに含む点で相違する。それ以外に両フローチャートの間には相違点は無い。それ故、図２７において、図３のステップに相当するものには、同一のステップ番号を付けて、それぞれの説明を省略する。
【００９５】
ステップＳ４の次に、プロセッサ８２は、ステップＳ８３で行われる書込み終了処理を実行済か否かを判断し（ステップＳ８１）、未実行の場合には、ステップＳ５を行う。逆に、書込み終了処理を実行済の場合、プロセッサ８２は、受信トランスポートストリームＳＴT をコンテンツ蓄積部９に書き込む必要がなく、ステップＳ５等をスキップして、ステップＳ６を行う。
【００９６】
また、プロセッサ８２は、ステップＳ５の次に、分離部１２０から送られてくるＰＭＴを使って、対象コンテンツの放送終了時刻が来たか否かを判断する（ステップＳ８２）。放送終了時刻ではないと判断すると、プロセッサ８２は、ステップＳ６を行う。逆に、放送終了時刻であると判断すると、プロセッサ８２は、
対象コンテンツのコンテンツ蓄積部９への書込みを終了させる（ステップＳ８３）。つまり、プロセッサ８２は、チューナ１２からのトランスポートストリームＳＴT をコンテンツ蓄積部９に転送せずに破棄する。その後、プロセッサ８２は、ステップＳ６を行う。以上の処理により、対象コンテンツの放送が終了すると、コンテンツ蓄積部９への書込みが終了するので、記録容量の小さいコンテンツ蓄積部９に好適な記録・再生を行うことができる。
【００９７】
なお、上述では、端末装置Ｅ8 は、端末装置Ｅ1 の変型例として説明したが、これに限らず、端末装置Ｅ2 〜Ｅ7 を変形したものであっても良い。
また、前述したように、チューナ１２およびＴＳ切替え部１３の間にスイッチ（図示せず）が配されている場合には、プロセッサ８２は、ステップＳ８３で、チューナ１２の出力トランスポートストリームＳＴT が制御部８に入力されないようにしても良い。
【００９８】
また、以上の変型例では、プロセッサ８２は、ＰＭＴを使って、対象コンテンツの終了時刻が来たか否かを判断していた。しかし、これに限らず、電子番組表（つまり、ＥＰＧ(Electric Program Guide)）を取得可能な場合には、プロセッサ８２は、取得した電子番組表を使って、対象コンテンツの終了時刻が来たか否かを判断しても良い。
【００９９】
また、以上の実施形態および全変型例において、プロセッサ８２は、コンテンツ蓄積部９の記録容量の残りを検出し、さらに、検出した残量に基づいて、対象コンテンツを書き込む際のビットレートを決定した後、決定したビットレートに従って、対象コンテンツをコンテンツ蓄積部９に格納しても良い。
【０１００】
また、以上の実施形態および全変型例において、コンテンツ蓄積部９には、トランスポートストリームＳＴT から変換されたプログラムストリームが蓄積されても良いし、さらには、符号化方式がＭＰＥＧ４に変換されたトランスポートストリームＳＴT が蓄積されても良い。
【産業上の利用可能性】
【０１０１】
本発明は、通信端末装置等に利用可能であり、特に、音声通話に起因してユーザに出力できなかったコンテンツの部分を、移動体に好適な手法で記録・再生可能な通信端末装置を提供する場合等に有用である。
【図面の簡単な説明】
【０１０２】
【図１】本発明の一実施形態に係る端末装置Ｅ1 の全体構成を示すブロック図
【図２】図１の端末装置Ｅ1 の特徴的な動作の概要を示すタイミングチャート
【図３】図１の端末装置Ｅ1 の詳細な動作を示すフローチャート
【図４】図１の端末装置Ｅ1 の第１の変型例である端末装置Ｅ2 の全体構成を示すブロック図
【図５】図４の端末装置Ｅ2 の特徴的な動作の概要を示すタイミングチャート
【図６】図４の端末装置Ｅ2 の詳細な動作を示すフローチャート
【図７】図１の端末装置Ｅ1 の第２の変型例である端末装置Ｅ3 の全体構成を示すブロック図
【図８】図７の端末装置Ｅ3 の特徴的な動作の概要を示すタイミングチャート
【図９】図７の端末装置Ｅ3 の詳細な動作を示すフローチャート
【図１０】図７の画像合成部１０４が作成する合成画像信号ＳＬM の第１の例を示す図
【図１１】図７の画像合成部１０４が作成する合成画像信号ＳＬM の第２の例を示す図
【図１２】図７の画像合成部１０４が作成する合成画像信号ＳＬM の第３の例を示す図
【図１３】図１の端末装置Ｅ1 の第３の変型例である端末装置Ｅ4 の全体構成を示すブロック図
【図１４】図１３の端末装置Ｅ4 の特徴的な動作の概要を示すタイミングチャート
【図１５】図１３の端末装置Ｅ4 の詳細な動作を示すフローチャート
【図１６】図１の端末装置Ｅ1 の第４の変型例である端末装置Ｅ5 の全体構成を示すブロック図
【図１７】図１６の端末装置Ｅ5 の特徴的な動作の概要を示すタイミングチャート
【図１８】図１６の端末装置Ｅ5 の詳細な動作を示すフローチャート
【図１９】図１の端末装置Ｅ1 の第５の変型例である端末装置Ｅ6 の全体構成を示すブロック図
【図２０】図１９の端末装置Ｅ6 の特徴的な動作の概要を示すタイミングチャート
【図２１】図１９の端末装置Ｅ6 の詳細な動作を示すフローチャート
【図２２】図１の端末装置Ｅ1 の第６の変型例である端末装置Ｅ7 の全体構成を示すブロック図
【図２３】図２２の端末装置Ｅ7 の特徴的な動作の概要を示すタイミングチャート
【図２４】図２２の端末装置Ｅ7 の詳細な動作を示すフローチャート
【図２５】図１の端末装置Ｅ1 の第７の変型例である端末装置Ｅ8 の全体構成を示すブロック図
【図２６】図２５の端末装置Ｅ8 の特徴的な動作の概要を示すタイミングチャート
【図２７】図２５の端末装置Ｅ8 の詳細な動作を示すフローチャート
【符号の説明】
【０１０３】
Ｅ1 〜Ｅ8     移動体通信端末装置
１    コンテンツ再生部
２    通話処理部
３    画像切替え部
４…表示装置
５、１０６    音声切替え部
６    スピーカ部
７    状態検出部
８    制御部
９    蓄積部
１０、１０３    入力装置
１０４    画像合成部
１０５    無音検出部
１０７    第１のスピーカ部
１０８    第２のスピーカ部
ＣＰ1 〜ＣＰ8     コンピュータプログラム
【図１】
2008206189.tif 000003
【図２】
2008206189.tif 000004
【図３】
2008206189.tif 000005
【図４】
2008206189.tif 000006
【図５】
2008206189.tif 000007
【図６】
2008206189.tif 000008
【図７】
2008206189.tif 000009
【図８】
2008206189.tif 000010
【図９】
2008206189.tif 000011
【図１０】
2008206189.tif 000012
【図１１】
2008206189.tif 000013
【図１２】
2008206189.tif 000014
【図１３】
2008206189.tif 000015
【図１４】
2008206189.tif 000016
【図１５】
2008206189.tif 000017
【図１６】
2008206189.tif 000018
【図１７】
2008206189.tif 000019
【図１８】
2008206189.tif 000020
【図１９】
2008206189.tif 000021
【図２０】
2008206189.tif 000022
【図２１】
2008206189.tif 000023
【図２２】
2008206189.tif 000024
【図２３】
2008206189.tif 000025
【図２４】
2008206189.tif 000026
【図２５】
2008206189.tif 000027
【図２６】
2008206189.tif 000028
【図２７】
2008206189.tif 000029